(57)【特許請求の範囲】
【請求項１】
回路基板上に設けられた複数の当接コネクタを挿着するための組合せ式コネクタであって、
組合せ式コネクタの上部に位置され、第１絶縁本体及び第１端子を含む第１コネクタと、
組合せ式コネクタの下部に位置され、第２絶縁本体及び第２端子を含む第２コネクタとを含み、
前記第１、２絶縁本体の前端にそれぞれ対応した当接コネクタを収容するための第１、２収容キャビティが形成され、水平方向にそれぞれ前記第１、２絶縁本体の後端を貫通した複数の収容通路が形成され、これらの第１端子及び第２端子は、いずれも前記収容通路内に収容された固着部と、該固着部から前方向へ収容キャビティ内まで延伸した当接部と、固着部から後方向へ延伸し、且つ少なくとも部分的に絶縁本体の外部に露出する脚部を含み、さらに前記絶縁本体の後部の直立方向に平行に排列した複数の収容チャネルが凹設され、前記第１端子の脚部は前、後両縦列に設置され且つそれぞれ対応して前記収容チャネル内に収容されており、
さらに、当接板は、基板を備え、該基板の内側面上に平行した複数の凸条が延設され、これらの凸条は前記絶縁本体の後部の前記収容チャネル内まで延伸し、且つ前列の第１端子の脚部に当接することにより、これらの前列端子脚部を定位させ、当接板の基板の内側面に、さらに前記後列の端子脚部を定位するため、後列の第１端子の脚部に当接する部位を形成し、
前記第１絶縁本体の後部は、後方向へ直立方向に平行して設置した複数の隔壁が延出され、これら隔壁の外表面の一側部は、さらに外方向へ凸条を延伸してなり、各相隣した両隔壁間に前記収容チャネルを形成し、該収容チャネルは、前記両隔壁の側壁間に形成し、且つ内部に位置した内側収容チャネルと、隔壁および他隔壁の凸条間に位置した外側収容チャネルとを含み、
前記前列の第１端子の脚部は前記内側収容チャネル内に収容され、前記後列の第１端子の脚部は前記外側収容チャネル内に収容され、
前記当接板の前記凸条は前記内側収容チャネル内に延伸し、且つ前記前列の第１端子の脚部と当接し、また前記当接板の前記基板の内側面と前記後列の第１端子の脚部とを当接することを特徴とする組合せ式コネクタ。
【請求項２】
前記基板は、前記凸条の上方位置に該凸条に垂直したストッパが設置され、前記当接板の両側縁部はいずれも凸条の延伸方向に側壁が延出され、各側壁の中間、及び頂端にそれぞれ絶縁本体後部に対応して係止する開口及び欠口を設置したことを特徴とする請求項１に記載の組合せ式コネクタ。
【請求項３】
前記隔壁の凸条上には隔壁の外表面と整列する凹槽が開設されたことを特徴とする請求項１に記載の組合せ式コネクタ。
【請求項４】
各第１端子の脚部上にはいずれも前記凹槽内に対応して係合する凸部が設けられたことを特徴とする請求項３に記載の組合せ式コネクタ。
【請求項５】
外部に遮蔽枠体を被覆し、該遮蔽枠体は前、後の両遮蔽枠体からなることを特徴とする請求項１に記載の組合せ式コネクタ。
【請求項６】
前記第１、第２コネクタはいずれも遮蔽枠体を含むことを特徴とする請求項１に記載の組合せ式コネクタ。
【請求項７】
前端に収容キャビティを形成し、水平方向に沿い、後端を貫通する複数の収容通路が形成された絶縁本体と、
前記収容通路内に収容された固着部と、該固着部から前方向へ収容キャビティ内まで延伸した当接部と、固着部から後方向へ延伸し、且つ少なくとも部分的に前記絶縁本体の外部に露出した脚部とを含み、前記端子の脚部は少なくとも前、後両縦列に配列した導電端子と、
基板を備え、該基板の内側面上に複数の平行した凸条が延設され、これら凸条は、前列の前記導電端子の脚部に当接することにより、これらの前列端子脚部を定位し、前記基板の内側面と前記端子の後列にあった端子脚部とを圧接することにより、前記後列端子脚部を定位させるための構造を有する当接板と、を含み、
前記絶縁本体の後部は、後方向へ直立方向に平行して設置した複数の隔壁が延出され、これら隔壁の外表面の一側部にさらに外方向へ凸条を延伸してなり、各相隣した両隔壁間に前記収容チャネルが形成され、該収容チャネルは両隔壁の間に形成し、且つ内部に位置した内側収容チャネル及び隔壁と他の隔壁の凸条間に位置した外側収容チャネルを含み、
前記前列の端子の脚部は前記内側収容チャネル内に収容され、前記後列の端子の脚部は外側収容チャネル内に収容され、
前記当接板の前記凸条は前記内側収容チャネル内に延伸し、且つ前記前列の端子の脚部と当接し、また前記当接板の前記基板の内側面と前記後列の端子の脚部とを当接することを特徴とする電気コネクタ。
【請求項８】
前記基板は、凸条の上方位置に該凸条に垂直するストッパが設けられ、当接板の両側縁部は凸条が延伸する方向にそれぞれ側壁を延出し、各側壁の中間部及び頂端部にそれぞれ前記絶縁本体の後部に対応して係合する開口及び欠口が設置されたことを特徴とする請求項７に記載の電気コネクタ。
【請求項９】
前記隔壁の凸条上に該隔壁の外表面に整列する凹槽が開設されたことを特徴とする請求項７に記載の電気コネクタ。
【請求項１０】
各端子の脚部上にいずれも前記凹槽内に対応して係合する凸部が設けられたことを特徴とする請求項９に記載の電気コネクタ。
【発明の詳細な説明】
【０００１】
【産業上の利用分野】
本発明は、一種の組合せ式コネクタに関し、特に一種の組合せ式コネクタ上に位置し、端子を定位するために用いられた当接板の構成に関するものである。
【０００２】
【従来の技術】
本発明に係る従来の組合せ式コネクタは、一般に上、下層を一体に積重ねた複数のコネクタを含み、対応したコネクタ内に収容された複数の端子は、それぞれ各コネクタにより後方向へ延伸し、且つ下方向へ曲げられ、回路基板とを電気的接続することができる。前記最上層のコネクタ端子は、コネクタ位置の関係で、より長い脚部が形成されたものである。しかし、如何にしてこれらの長い端子脚部を確実に定位させることは、該業者にとって一つの重要な研究課題である。しかし、實際に使用された場合、コネクタの絶縁本体の後部内に設置したチャネルのみにより、これらの端子脚部を干渉して固着する定位効果は期待されず、特に当接方向において該端子の脚部を固着させる対応した構造を備えていないことが見つかった。ことによって、一種組合せ方式コネクタの後部に組立てた当接板構造を設計し、該当接板は、前記端子脚部をその内表面に圧接させることで、端子脚部が当接方向においての定位効果を向上することができる。しかし、最上方に位置された電気コネクタ内に上、下両列端子を設け、それに対応した端子脚部が内、外両列に配列された場合、例えばＩＥＥＥ１３９４型コネクタなどのように、前記当接板は、内列端子を定位できないことは明らかであって、なお該内列の端子脚部は当接方向に変移現象が現れる上で、酷な場合、内、外両列の端子が互いに接触して短絡してしまう虞もあり得るものである。
【０００３】
従って、従来技術の前記欠点を克服するためには、確かに前記当接板の構造を改善する必要があると考えるものである。
【０００４】
【発明が解決しようとする課題】
本発明は、一種組合せ方式電気コネクタを提供し、上方に位置された電気コネクタの端子脚部を一定に定位させることを目的とする。
【０００５】
本発明は、一種組合せ方式電気コネクタの当接板を提供し、前、後両列の端子脚部が同時に順調に定位できることを他の目的とする。
【０００６】
【課題を解決するための手段】
前記の目的を達成するために、本発明の組合せ方式電気コネクタは、電気回路基板上に設置し、複数の当接コネクタを挿着するために用いられるもので、積重ねて設置した第１コネクタ及び第２コネクタを含み、第１コネクタは組合せ方式コネクタの上部に位置され、第１絶縁本体及び第１端子を含む。前記第２コネクタは組合せ方式コネクタの下部に位置され、第２絶縁本体及び第２端子を含んでいる。前記第１、２絶縁本体の前端に、それぞれ対応した当接コネクタを収容するための第１、２収容キャビティが形成され、水平方向に沿いながら前記第１、２絶縁本体を貫通した後端は、いずれも複数の収容通路が形成され、また前記第１端子及び第２端子は、いずれも前記収容通路内に収容された固着部と、該固着部から前方向へ収容キャビティ内に延伸する当接部と、固着部から後方向へ延伸し、且つ少なくとも前記絶縁本体の外部に部分的に露出する脚部とを含む。前記第１絶縁本体の後部は直立方向において平行に排列した複数の収容チャネルが凹設され、該第１端子の脚部は前、後両縦列に設置され、且つ前記収容チャネル内に対応して収容され、前記当接板は矩形状基板を備えると同時に、該基板の内側面上に複数の平行した凸条が延設され、これらの凸条は前記絶縁本体後部の前記収容チャネル内に延伸し、且つ第１端子の前列端子脚部に当接することによって、これらの前列端子脚部を定位することができ、前記基板の内側面にさらに第１端子の後列端子脚部とを当接し、これらの後列端子脚部を定位するための構造が形成されることである。
【０００７】
【実施例】
図１乃至図３を同時に参照されたい、本発明の組合せ方式コネクタ１は回路基板上に設置し、複数の当接コネクタを挿着するために用いられるものであって、絶縁本体と、複数の導電端子、当接板７、前遮蔽枠体４及び後遮蔽枠体５などの部材を含み、前記絶縁本体は第１絶縁本体２と第２絶縁本体３０を含み、前記導電端子は複数の第１端子８及び第２端子３２を含む。図２、図４及び図５を同時に示すように、前記第１絶縁本体２の中央部から前方向へ支持体２８が延出され、また第１絶縁本体２は前記支持体２８の上方に位置した部分、該部分内に収容された前記第１端子８及び第１遮蔽枠体６から本発明の組合せ方式コネクタ１の第１コネクタを構成する。前記遮蔽枠体６は、前記支持体２８の上方に設置された前記第１絶縁本体２の内壁に緊密に貼り付けてなるもので、その枠口は連続的に翻したラッパ状に形成され、その内部に、それに対応した当接コネクタを収容するための第１収容キャビティ２０が形成される。前記第１絶縁本体２の上端部に収容通路２４を設置し、該第１絶縁本体２の後部から後方向へ直立方向に平行して設置した複数の隔壁２２が延出され、該隔壁２２の外表面の一側部からさらに外方向へ凸条２２０が延伸して形成され、各隣接した両凸条２２０間に収容チャネル２３がそれぞれ形成され、該収容チャネル２３は、前記両凸条２２０の側壁間に形成し、且つ内部に位置された内側の収容チャネル２３１、及び前記隔壁２２と他の隔壁２２の凸条２２０の間に位置した外側の収容チャネル２３２を含み、各凸条２２０上に前記隔壁２２の外表面と整列した凹槽２３０が開設される。
【０００８】
前記第１端子８は、当接部８０、固着部８１及び脚部８２を含み、該固着部８１は、前記収容通路２４内に収容され、当接部８０は前記固着部８１から前方向へ前記第１収容キャビティ２０内に延伸するとともに、舌板６０に密に貼り付けて設置し、また前記第１端子８は両列に設置され、その脚部８２も同じく前、後両列に排列する。前列の端子脚部８２は前記内側の収容チャネル２３１内に収容され、後列の端子脚部８２は前記外側の収容チャネル２３２内に収容するとともに、前記両列端子はその脚部８２の適宜な位置に前記凹槽２３０中に対応して収容された凸部８４が設けられ、各端子脚部８２の端部に、回路基板（図示せず）と電気的に接続する半田付け部８３が形成される。
【０００９】
図６を合せて参照するように、当接板７は、矩形状基板７０を備え、該基板７０の内側面上に平行した複数の凸条７２が延設され、該基板７０上に、該凸条７２の上方位置に凸条７２とに垂直したストッパー７１が設けられ、前記隔壁板７の両側縁部は、いずれも凸条７２が延伸した方向に側壁７４が延出され、各側壁７４の中間部及び頂端部は、それぞれ開口７５及び欠口７３を設ける。組立てる場合、前記凸条７２は前記内側の収容チャネル２３１内に延伸し、且つ前記第１端子８の前列端子脚部８２と当接し、また前記隔壁板基板７０の内側面と前記第１端子８の後列端子脚部８２とを当接することによって、前、後両列の端子脚部８２を同時に上手く定位することができる。前記隔壁板７の開口７５および欠口７３は、それぞれ前記第１絶縁本体２の後部に設けられた凸部２６、２５とを係合するため、前記隔壁板７が安定に前記絶縁本体後部に（図７参照）組立てられる。前記の外側収容チャネル２３２は深く形成されているので、前記当接板７の内側面と後列の端子脚部８２とを緊密に圧接させるため、前記内側面上に適宜な突出部を形成することも可能に考える。
【００１０】
さらに、図３を合せて参照するように、前記第１絶縁本体２は、支持体２８の下方に位置した空間２１内に第２コネクタ３が収容され、この第２コネクタ３は、第２絶縁本体３０と、中間遮蔽体３１と、該第２絶縁本体３０の周りを被覆する遮蔽枠体３３と、遮蔽カバー３４と、第２端子３２とを含む。該第２絶縁本体３０は基部３０６を備え、該基部３０６から前方向へ平行して設置した中間隔板３００及びそれぞれ該中間隔板３００の上方及び下方に位置した二つの当接板３０１が延出され、前記当接板３０１と隔板３００との間は、第２収容キャビティ３０２を形成し、前記基部３０６を水平に貫通した複数の収容チャネル（標示せず）が形成され、前記中間遮蔽体３１は前記中間隔板３００の表面を被覆する。前記第２端子３２は、当接部３２０と、固着部３２１及び脚部３２２を含み、該固着部３２１は前記基部３０６の収容チャネル内に収容され、該当接部３２０は前記固着部３２１から前方向へ延伸してなるもので、且つ前記第２収容キャビティ３０２内に収容される。前記脚部３２２は前記固着部３２１から後方向へ曲げられて延伸し、且つ部分的に前記第２絶縁本体３０の底部外に突伸することによって、回路基板（図示せず）と電気的に接続することができる。
【００１１】
図２、図３および図８を同時に参照するように、それぞれ前記遮蔽枠体３３の頂壁及び底壁に設置した両弾性片３３０と、中間遮蔽体３１の上下表面に設けられた両弾性片３１０との共同作用によって、当接するに際して対応した当接コネクタ（図示せず）をよく定位することができる。前記遮蔽枠体３３の両側の前端は、それぞれ遮蔽枠体３３の両側爪脚３１１を収容するための方形開口３３１を開設し、かつ互いに固定させることになる。それと同時に、遮蔽枠体３３の上表面の後部に内方向へ突出された凸部３３２は、前記第２絶縁本体３０の上表面の後端部に設けられたスリット３０３内に収容され、前記遮蔽枠体３３の両側上部は、前記第２絶縁本体３０の両側の上部に設置された凸部３０４を収容するためのスリット３３３を設置し、また、該遮蔽枠体３３の両側下部に内方向へ突設した凸部３３４は、前記第２絶縁本体３０の両側の下部に開設されたスリット３０５内に収容することによって、前記中間遮蔽体３１、遮蔽枠体３３及び第２絶縁本体３０間の組立てを完成できるものである。また、前記遮蔽枠体３３の上表面の後部には、前記カバー３４の頂端の両定位脚３４１を収容するための両方形開口３３６が開設され、該カバー３４の両側の下端部はカバー３４の表面に垂直した方向に弾性片をそれぞれ曲げて形成し、該弾性片上に前記遮蔽枠体３３の両側の下端に開設された方形開口３３７内に収容した凸部３４０が設けられる。前記第２コネクタ３は、組合せ方式コネクタ１の第１絶縁本体２が前記支持体２８の下方に位置した空間２１内に収容され、前記遮蔽枠体３３の両側の下端部から延出した両爪脚３３５と回路基板との係合により、第２コネクタ３の組立て定位を達成することができる。
【００１２】
前記前遮蔽枠体４の前表面に上、下に並列して開設された多邊形開口４３及び両方形口４４、４５は、前記第１コネクタ１１および第２コネクタ１２に当接した対応コネクタを貫通させ、且つ前記第１、２収容キャビティ２０、３０２内に組込むことができ、前記前遮蔽枠体４の上表面の前部に内方向へ突起した前記第１コネクタの遮蔽枠体６を合せるための弾性片４０が設けられ、それと同時に、前記前遮蔽枠体４の両側に、それぞれ前記後遮蔽枠体５の両側前端に設置された対応の凸部５１を収容するための両方形開口４１が設けられ、前記前遮蔽枠体４の上表面の後部に下方向へ曲げてなる弾性片上に前記後遮蔽枠体５の上端に対応した開口５２内に収容する両凸部４２が設けられる。前記第１絶縁本体２の両側にそれぞれ三つの突起平面２７を設け、これら三つの突起平面２７の間に前記後遮蔽枠体５の両側に設置した定位ブロック５３と定位凸部５４を収容するためのガイドグルーブを形成することによって、前記遮蔽枠体４、５と前記第１絶縁本体２との定位を達成することができる。また、後遮蔽枠体５の両側の底部からそれぞれ両支持脚部５０を延出することで、回路基板上に挿入することによって組合せ式コネクタ１全体を支持することができる。
【００１３】
前記の発明は、主に二重積重ね式コネクタに適用された場合を示したが、理解のように、三種類のコネクタを積重ねた組合せ式コネクタにも適用し、前記隔壁板構造を単一のコネクタにも利用でき、特に電気コネクタが背高型である場合、端子脚部が長く、それを前、後両列で、または複数列に配置された場合、従来の隔壁板は多列端子脚部を同時に定位することは難しいが、前記隔壁板構造により端子脚部を有効に定位することができるものである。
【００１４】
他に、本発明の組合せ式コネクタの隔壁板構造は、絶縁本体が一体に設置した組合せ式コネクタにも適用でき、絶縁本体の後部に前記実施例中に類似する収容チャネルのみを設けることで、該隔壁板を組立てることができる上で、前記実施例と同一効果を達成することができるものである。
【００１５】
前記を総じて、本発明は特許の要件として十分に備えているので、法により登録すべきである。また、前記は単なる本願におけるより好ましい実施例にすぎず、本発明の請求範囲を限定するものではない。本発明の技術を熟知している者が本考案の思想に基づきなしうる修飾成いは変更は、いずれも本発明の請求範囲に属するものとする。
【図面の簡単な説明】
【図１】本発明の組合せ式コネクタの立体組合せ図である。
【図２】本発明の組合せ式コネクタは第２コネクタを組合わせる前の立体分解図である。
【図３】本発明の組合せ式コネクタの第２コネクタの立体分解図である。
【図４】本発明の組合せ式コネクタは、隔壁板及び導電端子を組合せる前の背面立体図である。
【図５】本発明の組合せ式コネクタは外部遮蔽枠体を組合せる前の立体分解図である。
【図６】本発明の組合せ式コネクタの隔壁板の立体図である。
【図７】本発明の組合せ式コネクタは隔壁板を組合せた後の立体図である。
【図８】本発明の組合せ式コネクタの断面見取図である。
【符号の説明】
１                          組合せ式コネクタ
２                          第１絶縁本体
２０                        第１収容キャビティ
２１                        空間
２２                        隔壁
２２０、７２                凸条
２３                        収容チャネル
２３０                      凹溝
２３１                      内側収容チャネル
２３２                      外側収容チャネル
２４                        収容通路
２５、２６、３０４、３３２、３３４、３４０、４２、５１、８４    凸部
２８                        支持体
３                          第２コネクタ
３０                        第２絶縁本体
３００                      中間隔板
３０１                      当接板
３０２                      第二収納キャビティ
３０３、３０５、３３３      グルーブ
３１                        中間遮蔽枠体
３１０、３３０、４０        弾性片
３１１、３３５              爪部
３２                        第２端子
３２０、８０                当接部
３２１、８１                固着部
３２２、８２                脚部
３３                        遮蔽枠体
３３１、４１、４３、５２、７５    開口
３３６、３３７、４４、４５  方形開口
３４                        カバー
３４１                      定位脚
４                          前遮蔽枠体
５                          後遮蔽枠体
５０                        支持脚
５３                        定位ブロック
５４                        定位凸部
６                          遮蔽枠体
６０                        舌板
７                          隔壁板
７０                        基板
７１                        ストッパー
７３                        欠口
７４                        側壁
８                          第１端子
８３                        半田付け部
【図１】
0004068384.tif 000002
【図２】
0004068384.tif 000003
【図３】
0004068384.tif 000004
【図４】
0004068384.tif 000005
【図５】
0004068384.tif 000006
【図６】
0004068384.tif 000007
【図７】
0004068384.tif 000008
【図８】
0004068384.tif 000009